(57)【特許請求の範囲】
【請求項１】
免震構造物に設けられたクリアランスを覆うように設置され、クリアランス幅方向の一側が一方の躯体にクリアランス長手方向にスライド可能に支持され、クリアランス幅方向の他側が他方の躯体に移動可能に載置された免震床であって、クリアランスを覆うフロア材と、フロア材の一側に取り付けられた複数のスライダと、一方の躯体に固定され、スライダをスライド可能に支持するスライド固定枠とを有し、スライダは、ボルトによりフロア材に取り付けられたワッシャとされ、ワッシャは、スライド固定枠の側壁に対して隙間を空けて位置し、ワッシャの下面がスライド固定枠の底面に接触することを特徴とする免震床。
【請求項２】
スライダは、大きさの異なるワッシャを重ねて構成され、スライド固定枠の底面に接触する最下段のワッシャは、上段のワッシャよりも小径とされたことを特徴とする請求項１記載の免震床。
【請求項３】
フロア材の一側に、スライダを保持するスライド材がスライド固定枠に対向して設けられ、スライド材に、スライド固定枠側に突出した取付部が形成され、取付部の下側にワッシャが取り付けられ、スライド材の取付部は、スライド固定枠を塞ぐようにスライド固定枠に非接触に配され、フロア材が傾いたときにワッシャの側面がスライド固定枠に接触するまでフロア材の傾斜が許容されることを特徴とする請求項１または２記載の免震床。
【発明の詳細な説明】
【技術分野】
【０００１】
本発明は、免震構造物の内外に設けられたクリアランスを覆う免震床に関する。
【背景技術】
【０００２】
免震構造物と非免震構造物との連結部やエレベータシャフト周り、外溝周りにクリアランスが設けられている。このクリアランスを覆うように設置される免震床は、地震時の揺れに追従させる、または揺れを吸収させる役割を果たす。免震床がこのような役割を果たすことができるように、クリアランス幅方向に差し渡された免震床は、クリアランス長手方向にスライド可能とされる。
【０００３】
免震床のスライド機構として、特許文献１では、クリアランスを覆うカバー体にスライダが設けられ、スライダは躯体に固定されたレール部材にスライド可能に支持される。このスライダは、角パイプをカバー体に固定したものであり、レール部材上をスライダがスライドすることにより、免震床がスライド可能に支持される。
【０００４】
また、特許文献２では、スライド機構として、案内ローラが用いられる。躯体に固定された案内レール上を案内ローラが転がることにより、免震床がスライドする。
【先行技術文献】
【特許文献】
【０００５】
【特許文献１】特許４０１２７８６号公報
【特許文献２】特開２００２−１７３９８９号公報
【発明の概要】
【発明が解決しようとする課題】
【０００６】
上記のスライダはレール部材に載っているので、摩擦抵抗が大きく、強い揺れがあっても、スライダがスムーズに動かない。そのため、激しい動きに追従することができず、免震の機能を発揮できなくなる。これに対し、案内ローラは激しい動きにも追従でき、免震の役割を果たすことができる。しかし、砂や埃などの異物が案内レールに入ると、異物が案内ローラの表面に付着して、噛み込みが起こるおそれがある。すると、案内ローラは転動しなくなり、免震床の動きがぎくしゃくして、免震の機能を十分に発揮できなくなる。
【０００７】
本発明は、上記に鑑み、常にスムーズにスライド可能な免震床の提供を目的とする。
【課題を解決するための手段】
【０００８】
本発明の免震床は、免震構造物に設けられたクリアランスを覆うように設置され、クリアランス幅方向の一側が一方の躯体にクリアランス長手方向にスライド可能に支持され、クリアランス幅方向の他側が他方の躯体に移動可能に載置されたものであって、クリアランスを覆うフロア材と、フロア材の一側に取り付けられた複数のスライダと、一方の躯体に固定され、スライダをスライド可能に支持するスライド固定枠とを有する。スライダは、ボルトによりフロア材に取り付けられたワッシャとされ、ワッシャは、スライド固定枠の側壁に対して隙間を空けて位置し、ワッシャの下面がスライド固定枠の底面に接触する。
【０００９】
ワッシャがスライド固定枠上をスライドすることにより、フロア材が躯体に対してスライドする。このとき、砂などの異物があっても、ワッシャが異物を押し分けて移動するので、スライダはスムーズにスライドする。
【００１０】
スライダは、大きさの異なるワッシャを重ねて構成され、スライド固定枠の底面に接触する最下段のワッシャは、上段のワッシャよりも小径とされる。このようなスライダの構造により、最下段のワッシャの側方に隙間が形成され、スライドの邪魔になる異物をこの隙間に排除できる。
【００１１】
フロア材の一側に、スライダを保持するスライド材がスライド固定枠に対向して設けられ、スライド材に、スライド固定枠側に突出した取付部が形成され、取付部の下側にワッシャが取り付けられ、スライド材の取付部は、スライド固定枠を塞ぐようにスライド固定枠に非接触に配され、フロア材が傾いたときにワッシャの側面がスライド固定枠に接触するまでフロア材の傾斜が許容される。
【００１２】
ワッシャの側面とスライド固定枠の側壁との間に隙間があるので、スライダは傾くことができる。スライダが傾くことにより、フロア材もスライダを中心にして傾動可能となる。これにより、スライダはスライド固定枠の側壁に接触するまで傾くことができる。フロア材はスライダにより規制された角度まで傾き、上下方向の変位にも対応可能になる。
【発明の効果】
【００１３】
本発明によると、フロア材を躯体に対してスライドさせるためのスライダにワッシャを用いるにより、異物に邪魔されずにスムーズにフロア材をスライド可能にすることができる。
【図面の簡単な説明】
【００１４】
【図１】本発明の免震床の断面図
【図２】免震床の平面図
【図３】（ａ）フロア材の断面図、（ｂ）他側のフロア材の断面図、（ｃ）中間のフロア材の断面図、（ｄ）一側のフロア材の断面図
【図４】フロア材の一側付近の断面図
【図５】フロア材の他側付近の断面図
【発明を実施するための形態】
【００１５】
本実施形態の免震構造物に用いられる免震床は、免震構造の建造物といった免震構造物の周囲に形成された外溝を覆う。すなわち、図１〜３に示すように、免震床１は、２つの躯体２、３の間に形成されたクリアランス４を覆う。一方の躯体２が免震構造物、例えば免震構造の建造物の躯体とされ、他方の躯体３が例えば他の建造物の躯体あるいは人工地盤とされる。この場合、免震床１は歩行用の床となる。
【００１６】
クリアランス４は、免震床１の一側寄りに位置する。免震床１のクリアランス幅方向の一側が一方の躯体２にクリアランス長手方向にスライド可能に支持され、クリアランス幅方向の他側が他方の躯体３に移動可能に載置される。なお、図中、Ｘ方向がクリアランス幅方向、Ｙ方向がクリアランス長手方向、Ｚ方向が鉛直方向とされる。ここで、クリアランス４の幅は１００〜１２００ｍｍ、免震床１の幅（Ｘ方向の長さ）は２００〜２３００ｍｍ、免震床１のＸ方向の可動量は１００〜１２００ｍｍとされる。免震床１の長さ（Ｙ方向の長さ）は任意に設定可能である。
【００１７】
免震床１は、クリアランス４を覆うフロア材１０と、フロア材１０の一側をＹ方向に移動可能にする複数のスライダ１１と、各スライダ１１をスライド可能に支持するスライド固定枠１２と、スライダ１１をフロア材１０に設けるためのスライド材１３と、フロア材１０の他側に設けられた可動材１４と、可動材１４を移動可能に支持する下地枠１５と、可動材１４をフロア材１０に取り付けるための先端材１６とを備えている。スライド固定枠１２は、一方の躯体２に固定され、フロア材１０の一側が一方の躯体２に対してＹ方向にスライドする。下地枠１５は、他方の躯体３に固定され、フロア材１０の他側が他方の躯体３に対してＸ方向に移動可能とされる。また、可動材１４は先端材１６に回動可能に支持され、可動材１４の先端がＺ方向に移動可能とされる。
【００１８】
図３に示すように、フロア材１０は、Ｘ方向に長く形成された中空のアルミニウム製の押し出し成形材である。図３（ｃ）に示すように、中間のフロア材１０のＹ方向の一側に凸部２０が形成され、他側に凹部２１が形成される。フロア材１０の凸部２０が隣のフロア材１０の凹部２１に嵌め込まれると、隣り合う２つのフロア材１０が密着して連結され、複数のフロア材１０がＹ方向に並べられる。図３（ｄ）に示すように、Ｙ方向の一側に位置するフロア材１０ａでは、外側に面する一側縁にめっき鋼板からなる側面補強板２２が被せられ、他側に凹部２１が形成され、凹部２１に隣のフロア材１０の凸部２０が嵌め込まれる。また、図３（ｂ）に示すように、Ｙ方向の他側に位置するフロア材１０ｂでも、外側に面する他側縁にめっき鋼板からなる側面補強板２２が被せられ、一側に凸部２０が形成され、凸部２０に隣のフロア材１０の凹部２１が嵌め込まれる。
【００１９】
フロア材１０は、他方の躯体３にフレーム２３を介して移動可能に支持される。他方の躯体３の端部に、一段低くなった受縁部２４が形成され、受縁部２４に鋼製のフレーム２３が複数設けられる。Ｌ形のフレーム２３はＸ方向に長く形成され、複数のフレーム２３がＹ方向に沿って一定間隔に並べられる。複数のＬ形のフレーム受け材２５がフレーム２３に溶接により取り付けられ、鋼製のフレーム受け材２５が躯体３の受縁部２４にアンカー２６により固定される。フレーム２３は、フレーム受け材２５を介して躯体３に固定される。フレーム２３の上面に、矩形状のめっき鋼板製の受板２７が載置されてねじ止めされ、フレーム２３は受板２７に覆われる。フロア材１０の下面に、平坦なステンレス鋼の薄平板２８が貼り付けられ、複数のフロア材１０の下面全体が薄平板２８によって覆われる。フロア材１０がフレーム２３に載置されると、フロア材１０の薄平板２８はフレーム２３の受板２７に接触し、フロア材１０の他端側はフレーム２３に移動可能に支持される。
【００２０】
図４に示すように、スライダ１１は、重ねられた複数、例えば２つのワッシャ３０、３１から構成される。２つの円形のワッシャ３０、３１は大きさが異なり、小ワッシャ３０は、小径、薄肉とされ、大ワッシャ３１は、大径、厚肉とされる。小ワッシャ３０が下段に配され、大ワッシャ３１が上段に配される。スライダ１１は、スライド材１３に取り付けられる。スライド材１３は、フロア材１０のＸ方向の一側の端縁に嵌め込まれて取り付けられる。
【００２１】
スライド材１３は、Ｙ方向に長く形成されたアルミニウム製の押し出し成形材であり、上縁部３２および下縁部３３が形成される。上縁部３２は、フロア材１０の一側の上面に被さり、皿頭ドリルねじ３４によりフロア材１０に固定される。下縁部３３は、フロア材１０の一側の下面に被さり、なべ頭ドリルねじ３５によりフロア材１０に固定される。上縁部３２と下縁部３３とによってフロア材１０が上下から挟まれ、スライド材１３がフロア材１０に固定される。フロア材１０の上面にシートあるいは縞板といった仕上材３６が設けられ、スライド材１３の上面が仕上材３６と面一にされる。
【００２２】
下縁部３３がフロア材１０から突出するように延伸され、スライド固定枠１２側に突出した取付部３７が形成される。取付部３７の下側にスライダ１１が取り付けられる。小ワッシャ３０の下方から挿入された皿ボルト３８が取付部３７を貫通して、皿ボルト３８がナット３９により締め付けられ、２つのワッシャ３０、３１がスライド材１３に固定される。皿ボルト３８の頭は下段の小ワッシャ３０から突出せず、スライダ１１の下面に凹み４０が形成される。
【００２３】
スライド固定枠１２は、フロア材１０のＸ方向の一側に対向して、一方の躯体２に設けられる。躯体２の端部に一段低くなった受縁部４１が形成され、受縁部４１にスライド固定枠１２が固定される。溝状のスライド固定枠１２は、Ｙ方向に長く形成されたアルミニウム製の押し出し成形材であり、スライダ１１をスライド可能に支持するための溝部４２と、躯体２に取り付けるための枠部４３とを有する。
【００２４】
溝部４２は、スライド材１３の取付部３７の下方に位置する。スライダ１１は、上面が開放された溝部４２に挿入され、下段の小ワッシャ３０が溝部４２の底面に接触する。溝部４２の側壁４４とスライダ１１の側面との間には隙間４５があり、スライダ１１の側面が溝部４２に接触せずに、スライダ１１はスライド可能となる。例えば、小ワッシャ３０の直径は２０ｍｍ、大ワッシャ３１の直径は２５ｍｍとされ、溝部４２の幅が２６ｍｍとされる。大ワッシャ３１と溝部４２の両側の側壁４４との間には、それぞれ０．５ｍｍの上部隙間が形成される。また、小ワッシャ３０と両側の側壁４４との間には、それぞれ３ｍｍの広い下部隙間４５ａが形成される。スライド材１３の取付部３７は、溝部４２を塞ぐように溝部４２の一側の側壁４４に対向して非接触に配される。取付部３７と溝部４２の側壁４４との間に隙間４６が形成され、この隙間４６はスライダ１１と溝部４２との隙間４５よりも広い。
【００２５】
枠部４３は、溝部４２よりも躯体側に設けられ、上面開放の溝状に形成される。一方の躯体２の受縁部４１とスライド固定枠１２との間にモルタル４７が充填され、モルタル４７の上に載置された枠部４３がアンカー４８により受縁部４１に固定される。枠部４３および溝部４２の上面がカバー材４９により覆われる。カバー材４９は、溝部４２の側壁４４の上縁５１に皿頭ドリルねじ５０により固定され、カバー材４９の一側が枠部４３の上縁５２に係止される。カバー材４９の他側はスライド材１３に隙間５３をあけて対向する。取付部３７よりも上方において、スライド材１３に庇部５４が形成され、上方の隙間５３から落下するごみ等の異物が直接溝部４２に入ることが遮られる。また、庇部５４は、下方からの空気圧によるカバー材４９の浮き上がりを防ぐ効果を有する。
【００２６】
図５に示すように、先端材１６は、Ｙ方向に長く形成されたアルミニウム製の押し出し成形材であり、上縁部６０および下縁部６１が形成される。上縁部６０は、フロア材１０の他側の上面に被さり、皿頭ドリルねじ６２によりフロア材１０に固定される。下縁部６１は、フロア材１０の他側の下面に被さる。上縁部６０と下縁部６１とによってフロア材１０が上下から挟まれ、先端材１６がフロア材１０に固定される。先端材１６の上面がフロア材１０の仕上材３６と面一にされる。
【００２７】
先端材１６に、可動材１４を回動可能に支持するための軸受部６３が形成される。軸受部６３の上面が開口されている。可動材１４は、Ｙ方向に長く形成されたアルミニウム製の押し出し成形材であり、可動材１４の他側に軸部６４が形成される。軸部６４は、軸受部６３の開口より大きな断面円状に形成される。軸部６４が軸受部６３に側方から差し込まれて、軸部６４が軸受部６３から上方に抜け出さないように可動材１４が軸受部６３に支持される。可動材１４の他側の端縁は軸受部６３の上縁６５の上方に位置し、可動材１４の他側の端縁が軸受部６３の上縁６５に接触するまで、可動材１４は上方向に少しだけ回動する。したがって、可動材１４は、軸部６４を中心にして、規制された角度内で回動可能とされる。なお、可動材１４が下方向に回動したとき、軸受部６３の開口縁６６に可動材１４が当接することにより、可動材１４の回動が規制される。
【００２８】
可動材１４の他側は下地枠１５に載置される。下地枠１５は、Ｙ方向に長く形成されたアルミニウム製の押し出し成形材であり、フロア材１０のＸ方向の他側に対向して配置される。下地枠１５は、他方の躯体３上に設置されたフレーム２３にねじ７０により固定される。そして、下地枠１５は、可動材１４の他側を移動可能に支持する支持部７１を有する。
【００２９】
支持部７１の上面は、第１傾斜面７２、水平面７３、第２傾斜面７４の連続した平面から構成される。可動材１４が水平面７３上にあるとき、可動材１４は水平状態に保持され、可動材１４の上面がフロア材１０上の仕上材３６の上面および躯体４上に設けられた仕上材７５の上面と面一になる。可動材１４が第１傾斜面７２に沿ってＸ方向の他側に向かって移動すると、可動材１４が上方向に少し回動しながらせり上がり、躯体４上の仕切材７５の上面に載る。可動材１４が第２傾斜面７４に沿ってＸ方向の一側に向かって移動すると、可動材１４が下方向に回動する。また、可動材１４は、支持部７１の上面に沿ってＹ方向に移動可能である。
【００３０】
上記構成の免震床１において、Ｘ方向の一側では、フロア材１０がスライダ１１を介してスライド固定枠１２に支持され、Ｘ方向の他側では、フロア材１０がフレーム２３に支持され、可動材１４が下地枠１５に支持される。このように、免震床１は、通常時には段差がないようにクリアランス４を覆って、両側の躯体２、３に支持されている。
【００３１】
地震などによって揺れが生じたとき、一方の躯体２と他方の躯体３とが相対的に変位する。例えばＹ方向への変位の場合、一方の躯体２に固定されたスライド固定枠１２がフロア材１０に対して変位すると、スライダ１１がスライド固定枠１２の溝部４２をスライドする。これにより、フロア材１０は両側の躯体２、３に対してＹ方向にスライドして、フロア材１０は各躯体２、３の相対的な変位に追従することができ、免震床１にかかる負荷を軽減できる。
【００３２】
ここで、スライド固定枠１２の溝部４２には、スライド材１３の取付部３７と溝部４２の側壁４４との間の隙間４６を通過した砂などの異物が存在すあるおそれがある。スライダ１１がスライドするとき、円形のワッシャ３０、３１が隙間４６を通過してきた異物を排除する。すなわち、異物が小ワッシャ３０に衝突しても、異物が小ワッシャ３０の側面に沿って下部隙間４５ａに避けられる。また、複数のスライダ１１が溝部４２の底面に面接触しているので、異物を噛み込みにくい。異物を噛み込んだとしても、小ワッシャ３０の下面の凹み４０に異物が入り込み、スライドに支障を来さない。このように、スライダ１１は異物を押し退けてスライドし、スライド時の抵抗が低減され、フロア材１０は躯体２に対してスムーズに移動できる。
【００３３】
Ｘ方向への変位が生じた場合、両側の躯体２、３が近づいたり、離れたりする。フロア材１０の一側にあるスライダ１１は一方の躯体２に固定されたスライド固定枠１２に対してＸ方向への移動が規制されているので、フロア材１０の一側は躯体２に追従して移動する。両側の躯体２、３が近づくとき、フロア材１０の他側は、Ｘ方向の他側に向かって移動する。このとき、フロア材１０はフレーム２３上をＸ方向の他側に向かって移動し、可動材１４が下地枠１５の第１傾斜面７２に沿って上方向に回動しながらスライドする。Ｘ方向への変位が大きいとき、フロア材１０の先端材１６が下地枠１５上をＸ方向の他側に向かってスライドし、第２傾斜面７４に沿ってフロア材１０の他側がせり上がる。このとき、フロア材１０の一側では、スライダ１１が少し傾き、大ワッシャ３１の側面が溝部４２の側壁４４に接触する。すなわち、フロア材１０が上方向に傾動するとき、大ワッシャ３１の側面がスライド固定枠１２に接触するまでフロア材１０の傾斜が許容される。このように、フロア材１０は、衝撃を受けることなく２つの躯体２、３の相対的な変位に追従することができる。
【００３４】
両側の躯体２、３が離れるとき、フロア材１０の他側は、Ｘ方向の一側に向かってフレーム２３上を移動する。このとき、フロア材１０は傾かずにスライドするが、可動材１４が下地枠１５の第２傾斜面７４に沿って下方向に回動しながらスライドする。したがって、フロア材１０は両側の躯体２、３の相対的な変位に追従することができ、免震床１にかかる負荷を軽減できる。
【００３５】
なお、本発明は、上記実施形態に限定されるものではなく、本発明の範囲内で上記実施形態に多くの修正および変更を加え得ることは勿論である。スライダ１１は、ワッシャの２段重ねに限らず、ワッシャを３段以上に重ねてもよい。ワッシャの数に応じてスライダ１１の高さを調整することにより、躯体２からフロア材１０までの高さを調整することが可能となる。また、溝部４２の底面にＹ方向に平行な溝を形成してもよい。スライダ１１と溝部４２との接触面積が減るとともに、細かな異物が溝に入るので、ワッシャと異物との接触が減って、抵抗が少なくなり、スライダ１１がスムーズにスライドする。
【符号の説明】
【００３６】
１    免震床
２    一方の躯体
３    他方の躯体
４    クリアランス
１０    フロア材
１１    スライダ
１２    スライド固定枠
１３    スライド材
１４    可動材
１５    下地枠
１６    先端材
３０    小ワッシャ
３１    大ワッシャ
４２    溝部
４４    側壁
４５    隙間
【図１】
0006502290.tif 000002
【図２】
0006502290.tif 000003
【図３】
0006502290.tif 000004
【図４】
0006502290.tif 000005
【図５】
0006502290.tif 000006